(57)【要約】【課題】  ネットワークを介したアンケートにより利用者の学力や知識力を採点して、進学又は就職先で求められるレベルと照合し、利用者のレベルに適した学校や企業をデータベースから抽出して利用者にて提供し、進学の場合は続いて教育講座を案内すること。【解決手段】  進路案内装置３０は、進学先の学校とその学校で必要とされる能力を数値化した基準点とを関連づけて保持する進学判断ＤＢ３３と、学校毎に詳細情報を保持する学校情報ＤＢ３４とを有し、利用者端末１０からの進学の適正判断要求を受けると学力を試験するためのアンケートを利用者端末１０に返信し、利用者端末１０からアンケートの回答を受信するとその回答を採点し採点結果に基づいて進学判断ＤＢ３３を索引して適合する学校を抽出し、抽出した学校の詳細情報を学校情報ＤＢ３４から取りだして利用者端末１０に返信する。【選択図】      図１
2005108096.tif 000002
【特許請求の範囲】
【請求項１】
利用者端末と進路案内装置とこれらをネットワークで接続する進路案内システムであって、
前記進路案内装置は、進学先の学校とその学校で必要とされる能力を数値化した基準点とを関連づけて保持する進学判断データベースと、前記学校毎に詳細情報を保持する学校情報データベースとを有し、
前記利用者端末から進学の適正判断要求を受けると学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信することを特徴とする進路案内システム。
【請求項２】
利用者端末と進路案内装置と教育講座装置とこれらをネットワークで接続する進路案内システムであって、
前記進路案内装置は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースとを有し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする進路案内システム。
【請求項３】
利用者端末と進路案内装置とこれらをネットワークで接続する進路案内システムであって、
前記進路案内装置は、就職先の企業とその企業で必要とされる能力をレベル分けした結果とを関連づけて保持する就職判断データベースと、前記企業毎に詳細情報を保持する就職情報データベースを有し、前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする進路案内システム。
【請求項４】
利用者端末と進路案内装置とこれらをネットワークで接続する進路案内システムであって、
前記進路案内装置は、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
前記利用者端末から進学の適正判断要求を受けると、学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする進路案内システム。
【請求項５】
利用者端末と進路案内装置と教育講座装置とこれらをネットワークで接続する進路案内システムであって、
前記進路案内装置は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする進路案内システム。
【請求項６】
前記進学判断データベースは学校の所在地の情報を含み、前記進学用アンケートは利用者の希望する通学地域を指定して回答し、そのアンケートの採点結果と利用者の希望する通学地域の双方が適合する学校を前記進学判断データベースから抽出することを特徴とする請求項１、２、４、又は５の進路案内システム。
【請求項７】
前記就職判断データベースは企業の所在地と収入の情報を含み、前記就職用アンケートは利用者の希望する通勤地域と収入とを指定して回答し、そのアンケートの採点結果と利用者の希望する通勤地域及び収入の全てが適合する企業を前記就職判断データベースから抽出することを特徴とする請求項３、４、又は５の進路案内システム。
【請求項８】
進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信することを特徴とする進路案内装置。
【請求項９】
利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする進路案内装置。
【請求項１０】
就職先の企業とその企業で必要とされる能力をレベル分けした結果とを関連づけて保持する就職判断データベースと、前記企業毎に詳細情報を保持する就職情報データベースを有し、ネットワークを介して接続する利用者端末から就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする進路案内装置。
【請求項１１】
進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末から進学の適正判断要求を受けると、学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする進路案内装置。
【請求項１２】
利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする進路案内装置。
【請求項１３】
前記進学判断データベースは学校の所在地の情報を含み、前記進学用アンケートは利用者の希望する通学地域を指定して回答し、そのアンケートの採点結果と利用者の希望する通学地域の双方が適合する学校を前記進学判断データベースから抽出することを特徴とする請求項８、９、１１、又は１２の進路案内装置。
【請求項１４】
前記就職判断データベースは企業の所在地と収入の情報を含み、前記就職用アンケートは利用者の希望する通勤地域と収入とを指定して回答し、そのアンケートの採点結果と利用者の希望する通勤地域及び収入の全てが適合する企業を前記就職判断データベースから抽出することを特徴とする請求項１０、１１、又は１２の進路案内装置。
【請求項１５】
進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信することを特徴とする進路案内方法。
【請求項１６】
利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする進路案内方法。
【請求項１７】
就職先の企業とその企業で必要とされる能力をレベル分けした結果とを関連づけて保持する就職判断データベースと、前記企業毎に詳細情報を保持する就職情報データベースを有し、ネットワークを介して接続する利用者端末から就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする進路案内方法。
【請求項１８】
進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末から進学の適正判断要求を受けると、学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする進路案内方法。
【請求項１９】
利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする進路案内方法。
【請求項２０】
前記進学判断データベースは学校の所在地の情報を含み、前記進学用アンケートは利用者の希望する通学地域を指定して回答し、そのアンケートの採点結果と利用者の希望する通学地域の双方が適合する学校を前記進学判断データベースから抽出することを特徴とする請求項１５、１６、１８、又は１９の進路案内方法。
【請求項２１】
前記就職判断データベースは企業の所在地と収入の情報を含み、前記就職用アンケートは利用者の希望する通勤地域と収入とを指定して回答し、そのアンケートの採点結果と利用者の希望する通勤地域及び収入の全てが適合する企業を前記就職判断データベースから抽出することを特徴とする請求項１７、１８、又は１９の進路案内方法。
【請求項２２】
ネットワークを介して接続する利用者端末から進学の適正判断要求を受けると学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報と合わせて前記利用者端末に返信する手順とをコンピュータに実行させることを特徴とするプログラム。
【請求項２３】
ネットワークを介して接続する利用者端末から進学の適正判断要求を受けると利用者の個人情報を個人情報データベースに登録して学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報及び教育講座の案内と合わせて前記利用者端末に返信する手順と、
前記利用者端末から教育講座の案内に対して希望校を指定した受講要求があると前記個人情報データベースから個人情報を読み出して前記希望校情報と合わせて受講申込み要求を予め決められた教育講座情報を提供する装置に送る手順とをコンピュータに実行させることを特徴とするプログラム。
【請求項２４】
ネットワークを介して接続する利用者端末から就職の適正判断要求を受けると常識的な能力を試験するための就職用アンケートを前記利用者端末に返信する手順と、
前記利用者端末から就職用アンケートの回答を受信するとその回答を採点し、就職先の企業とその企業で必要とされる能力をレベル分けした結果とを関連づけて保持する就職判断データベースを索引して採点結果に適合する企業を抽出する手順と、
企業の詳細情報を保持する就職情報データベースから抽出した企業の詳細情報を取りだして採点結果の情報と合わせて前記利用者端末に返信する手順とをコンピュータに実行させることを特徴とするプログラム。
【請求項２５】
ネットワークを介して接続する利用者端末から進学の適正判断要求を受けると学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報と合わせて前記利用者端末に返信する手順と、
前記利用者端末から就職の適正判断要求を受けると常識的な能力を試験するための就職用アンケートを前記利用者端末に返信する手順と、
前記利用者端末から就職用アンケートの回答を受信するとその回答を採点し、就職先の企業とその企業で必要とされる能力をレベル分けした結果とを関連づけて保持する就職判断データベースを索引して採点結果に適合する企業を抽出する手順と、
企業の詳細情報を保持する就職情報データベースから抽出した企業の詳細情報を取りだして採点結果の情報と合わせて前記利用者端末に返信する手順とをコンピュータに実行させることを特徴とするプログラム。
【請求項２６】
ネットワークを介して接続する利用者端末から進学の適正判断要求を受けると利用者の個人情報を個人情報データベースに登録して学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報及び教育講座の案内と合わせて前記利用者端末に返信する手順と、
前記利用者端末から教育講座の案内に対して希望校を指定した受講要求があると前記個人情報データベースから個人情報を読み出して前記希望校情報と合わせて受講申込み要求を予め決められた教育講座情報を提供する装置に送る手順と、
前記利用者端末から就職の適正判断要求を受けると常識的な能力を試験するための就職用アンケートを前記利用者端末に返信する手順と、
前記利用者端末から就職用アンケートの回答を受信するとその回答を採点し、就職先の企業とその企業で必要とされる能力をレベル分けした結果とを関連づけて保持する就職判断データベースを索引して採点結果に適合する企業を抽出する手順と、
企業の詳細情報を保持する就職情報データベースから抽出した企業の詳細情報を取りだして採点結果の情報と合わせて前記利用者端末に返信する手順とをコンピュータに実行させることを特徴とするプログラム。
【発明の詳細な説明】
【技術分野】
【０００１】
本発明は進路案内システム、進路案内装置、進路案内方法、及びプログラムに関し、特に、アンケートにより利用者の能力を採点し利用者の能力にあった進学先や就職先及び教育講座を案内する技術に関する。
【背景技術】
【０００２】
従来、大学への進学を希望する人は、自身の判断により適すると思われる参考書や受験講座等を探して勉強し、またその学力レベルを自身で判断し地域性も考慮して受験校を探していた。就職を希望する人も、インターネット、雑誌、又は在学中なら学校から就職情報を入手し、採用条件や待遇や地域性を自身で判断し就職先を探していた。
【０００３】
これらの人手による作業を自動化して手間を軽減するものとして、特開２００２−１５７２４９号公報では、ネットワークを介して要求したユーザ端末に対して管理サーバが学校に関する情報を提供するシステムが開示されている。この発明では、ユーザはユーザ端末から学校名を入力することにより学校の施設や周辺の環境等に関する情報を含んだ学校の案内情報を入手できる。
【０００４】
また、特開２００１−３５７１２４号公報では、就職希望者と採用希望企業との間でそれぞれが相手の情報を入手できるシステムが開示されている。この発明では、就職希望者が自分の希望情報を入力するとシステムがその希望情報にマッチングする企業をデータベースから抽出して提供するので、就職希望者は手間をかけずに自分の希望する条件の企業を入手することができる。
【０００５】
【特許文献１】特開２００２−１５７２４９号公報
【特許文献２】特開２００１−３５７１２４号公報
【発明の開示】
【発明が解決しようとする課題】
【０００６】
従来、進学又は就職の進路を決める際の基となる情報は自分の足で探して収集しなければならなかった。ネットワークと情報機器を利用して情報を収集する方法として、進学については特開２００２−１５７２４９号公報の発明があるが、この発明では、自分の適正に応じた学校をシステムが提供することはできず、また、受験に適した教育講座等の案内もなく、適正や必要な講座等は自分で判断し探す必要がある。
【０００７】
また、就職に関しては特開２００１−３５７１２４号公報の発明がある。この発明ではシステムが、利用者の希望や職業適正診断の結果に基づいて、企業の社風や精度とのマッチングを実行しマッチングした企業を抽出して利用者に企業情報を提供するが、利用者の常識等の知識や学力等の能力に関しては考慮されておらず、単に利用者の希望にあった企業を抽出しているだけある。従って、企業側が希望する条件に適合するかについての判断は利用者が自分でしなければならない。
【０００８】
本発明の目的は、進学又は就職の判断に対してシステムがアンケートにより利用者の学力や知識力をアンケートにより調査し採点して利用者のレベルを数値化し、進学又は就職先として求められるレベルを照合して、利用者のレベルに適した学校や企業をデータベースから抽出して利用者にて提供し、さらに進学の場合は進学項に応じた教育講座を案内する進路案内システム、進路案内装置、進路案内方法、及びプログラムを提供することにある。
【課題を解決するための手段】
【０００９】
本発明の第１の進路案内システムは、利用者端末と進路案内装置とこれらをネットワークで接続する進路案内システムであって、
前記進路案内装置は、進学先の学校とその学校で必要とされる能力を数値化した基準点とを関連づけて保持する進学判断データベースと、前記学校毎に詳細情報を保持する学校情報データベースとを有し、
前記利用者端末から進学の適正判断要求を受けると学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信することを特徴とする。
【００１０】
本発明の第２の進路案内システムは、利用者端末と進路案内装置と教育講座装置とこれらをネットワークで接続する進路案内システムであって、
前記進路案内装置は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースとを有し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする。
【００１１】
本発明の第３の進路案内システムは、利用者端末と進路案内装置とこれらをネットワークで接続する進路案内システムであって、
前記進路案内装置は、就職先の企業とその企業で必要とされる能力をレベル分けした結果とを関連づけて保持する就職判断データベースと、前記企業毎に詳細情報を保持する就職情報データベースを有し、前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする。
【００１２】
本発明の第４の進路案内システムは、利用者端末と進路案内装置とこれらをネットワークで接続する進路案内システムであって、
前記進路案内装置は、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
前記利用者端末から進学の適正判断要求を受けると、学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする。
【００１３】
本発明の第５の進路案内システムは、利用者端末と進路案内装置と教育講座装置とこれらをネットワークで接続する進路案内システムであって、
前記進路案内装置は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする。
【００１４】
本発明の第６のは進路案内システム、本発明の第１、第２、第４、又は第５の進路案内システムにおいて、前記進学判断データベースは学校の所在地の情報を含み、前記進学用アンケートは利用者の希望する通学地域を指定して回答し、そのアンケートの採点結果と利用者の希望する通学地域の双方が適合する学校を前記進学判断データベースから抽出することを特徴とする。
【００１５】
本発明の第７の進路案内システムは、本発明の第３、４又は５の進路案内システムにおいて、前記就職判断データベースは企業の所在地と収入の情報を含み、前記就職用アンケートは利用者の希望する通勤地域と収入とを指定して回答し、そのアンケートの採点結果と利用者の希望する通勤地域及び収入の全てが適合する企業を前記就職判断データベースから抽出することを特徴とする。
【００１６】
本発明の第１の進路案内装置は、進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信することを特徴とする。
【００１７】
本発明の第２の進路案内装置は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする。
【００１８】
本発明の第３の進路案内装置は、就職先の企業とその企業で必要とされる能力をレベル分けした結果とを関連づけて保持する就職判断データベースと、前記企業毎に詳細情報を保持する就職情報データベースを有し、ネットワークを介して接続する利用者端末から就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする。
【００１９】
本発明の第４の進路案内装置は、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末から進学の適正判断要求を受けると、学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする。
【００２０】
本発明の第５の進路案内装置は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする。
【００２１】
本発明の第６の進路案内装置は、本発明の第１、第２、第４、又は第５の進路案内装置において、前記進学判断データベースは学校の所在地の情報を含み、前記進学用アンケートは利用者の希望する通学地域を指定して回答し、そのアンケートの採点結果と利用者の希望する通学地域の双方が適合する学校を前記進学判断データベースから抽出することを特徴とする。
【００２２】
本発明の第７の進路案内装置は、本発明の第３、４又は５の進路案内装置において、前記就職判断データベースは企業の所在地と収入の情報を含み、前記就職用アンケートは利用者の希望する通勤地域と収入とを指定して回答し、そのアンケートの採点結果と利用者の希望する通勤地域及び収入の全てが適合する企業を前記就職判断データベースから抽出することを特徴とする。
【００２３】
本発明の第１の進路案内方法は、進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信することを特徴とする。
【００２４】
本発明の第２の進路案内方法は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースとを有し、
ネットワークを介して接続する利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする。
【００２５】
本発明の第３の進路案内方法は、就職先の企業とその企業で必要とされる能力をレベル分けした結果とを関連づけて保持する就職判断データベースと、前記企業毎に詳細情報を保持する就職情報データベースを有し、ネットワークを介して接続する利用者端末から就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする。
【００２６】
本発明の第４の進路案内方法は、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末から進学の適正判断要求を受けると、学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を学校情報データベースから取りだして前記利用者端末に返信し、
前記利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信することを特徴とする。
【００２７】
本発明の第５の進路案内方法は、利用者の氏名や住所を含む個人情報を保持する個人情報データベースと、進学先の学校とその学校で必要とされる能力を数値化した基準点とを関連づけて保持する進学判断データベースと、前記学校毎に詳細情報を保持する学校情報データベースと、就職先の企業とその企業で必要とされる能力をレベル分けした結果とを関連づけて保持する就職判断データベースと、前記企業毎に詳細情報を保持する就職情報データベースとを有し、
ネットワークを介して接続する利用者端末からの就職の適正判断要求を受けると常識的な能力を試験するための就職用アンケートを前記利用者端末に返信し、前記利用者端末から就職用アンケートの回答を受信するとその回答を採点し採点結果に基づいて前記就職判断データベースを索引して適合する企業を抽出し、抽出した企業の詳細情報を就職情報データベースから取りだして前記利用者端末に返信し、
前記利用者端末から進学の適正判断要求を受けると利用者の個人情報を前記個人情報データベースに登録して学力を試験するための進学用アンケートを前記利用者端末に返信し、前記利用者端末から進学用アンケートの回答を受信するとその回答を採点し採点結果に基づいて前記進学判断データベースを索引して適合する学校を抽出し、抽出した学校の詳細情報を前記学校情報データベースから取りだして教育講座の案内と合わせて前記利用者端末に返信し、前記利用者端末から教育講座の案内に対して希望校を指定した受講要求があると前記個人情報データベースから個人情報を読み出して希望校情報と合わせて受講申込み要求を前記教育講座装置に送り、
前記教育講座装置は、学校毎に用意された教育講座情報を学校と関連づけて得保持するカリキュラムデータベースを有し、前記進路案内装置から受講申込み要求を受信すると前記カリキュラムデータベースから受信した希望校に該当する教育講座情報を取りだして前記利用者端末に送ることを特徴とする。
【００２８】
本発明の第６の進路案内方法は、本発明の第１、第２、第４、又は第５の進路案内方法において、前記進学判断データベースは学校の所在地の情報を含み、前記進学用アンケートは利用者の希望する通学地域を指定して回答し、そのアンケートの採点結果と利用者の希望する通学地域の双方が適合する学校を前記進学判断データベースから抽出することを特徴とする。
【００２９】
本発明の第７の進路案内方法は、本発明の第３、４又は５の進路案内方法において、前記就職判断データベースは企業の所在地と収入の情報を含み、前記就職用アンケートは利用者の希望する通勤地域と収入とを指定して回答し、そのアンケートの採点結果と利用者の希望する通勤地域及び収入の全てが適合する企業を前記就職判断データベースから抽出することを特徴とする。
【００３０】
本発明の第１のプログラムは、ネットワークを介して接続する利用者端末から進学の適正判断要求を受けると学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報と合わせて前記利用者端末に返信する手順とをコンピュータに実行させることを特徴とする。
【００３１】
本発明の第２のプログラムは、ネットワークを介して接続する利用者端末から進学の適正判断要求を受けると利用者の個人情報を個人情報データベースに登録して学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報及び教育講座の案内と合わせて前記利用者端末に返信する手順と、
前記利用者端末から教育講座の案内に対して希望校を指定した受講要求があると前記個人情報データベースから個人情報を読み出して前記希望校情報と合わせて受講申込み要求を予め決められた教育講座情報を提供する装置に送る手順とをコンピュータに実行させることを特徴とする。
【００３２】
本発明の第３のプログラムは、ネットワークを介して接続する利用者端末から就職の適正判断要求を受けると常識的な能力を試験するための就職用アンケートを前記利用者端末に返信する手順と、
前記利用者端末から就職用アンケートの回答を受信するとその回答を採点し、就職先の企業とその企業で必要とされる能力をレベル分けした結果とを関連づけて保持する就職判断データベースを索引して採点結果に適合する企業を抽出する手順と、
企業の詳細情報を保持する就職情報データベースから抽出した企業の詳細情報を取りだして採点結果の情報と合わせて前記利用者端末に返信する手順とをコンピュータに実行させることを特徴とする。
【００３３】
本発明の第４のプログラムは、ネットワークを介して接続する利用者端末から進学の適正判断要求を受けると学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報と合わせて前記利用者端末に返信する手順と、
前記利用者端末から就職の適正判断要求を受けると常識的な能力を試験するための就職用アンケートを前記利用者端末に返信する手順と、
前記利用者端末から就職用アンケートの回答を受信するとその回答を採点し、就職先の企業とその企業で必要とされる能力をレベル分けした結果とを関連づけて保持する就職判断データベースを索引して採点結果に適合する企業を抽出する手順と、
企業の詳細情報を保持する就職情報データベースから抽出した企業の詳細情報を取りだして採点結果の情報と合わせて前記利用者端末に返信する手順とをコンピュータに実行させることを特徴とする。
【００３４】
本発明の第５のプログラムは、ネットワークを介して接続する利用者端末から進学の適正判断要求を受けると利用者の個人情報を個人情報データベースに登録して学力を試験するための進学用アンケートを前記利用者端末に返信する手順と、
前記利用者端末から進学用アンケートの回答を受信するとその回答を採点し、進学先の学校とその学校で必要とされる能力を数値化した基準点とを関連づけて保持する進学判断データベースを索引して採点結果に適合する学校を抽出する手順と、
学校の詳細情報を保持する学校情報データベースから抽出した学校の詳細情報を取りだして採点結果の情報及び教育講座の案内と合わせて前記利用者端末に返信する手順と、
前記利用者端末から教育講座の案内に対して希望校を指定した受講要求があると前記個人情報データベースから個人情報を読み出して前記希望校情報と合わせて受講申込み要求を予め決められた教育講座情報を提供する装置に送る手順と、
前記利用者端末から就職の適正判断要求を受けると常識的な能力を試験するための就職用アンケートを前記利用者端末に返信する手順と、
前記利用者端末から就職用アンケートの回答を受信するとその回答を採点し、就職先の企業とその企業で必要とされる能力をレベル分けした結果とを関連づけて保持する就職判断データベースを索引して採点結果に適合する企業を抽出する手順と、
企業の詳細情報を保持する就職情報データベースから抽出した企業の詳細情報を取りだして採点結果の情報と合わせて前記利用者端末に返信する手順とをコンピュータに実行させることを特徴とする。
【発明の効果】
【００３５】
本発明は利用者の学力や知識力のレベルを判断するためのアンケートを実行し学校側又は企業側が要求するレベルを参照して利用者に合った学校又は企業の情報を利用者に提供しているので、利用者の希望と能力・適正にあった学校又は企業の情報を利用者に提供することができ、利用者が進路を決める際の手間を著しく軽減できるという効果がある。
【００３６】
さらに、進学希望校に適した教育講座等を案内するので、利用者は進学のための勉強の方法についても自分で探したりする必要がなく手間が省けるという効果がある。
【発明を実施するための最良の形態】
【００３７】
次に、本発明を実施するための最良の形態について図面を参照して詳細に説明する。
本発明のシステムは図１に示すように利用者端末１０と、教育講座装置２０と、進路案内装置３０と、及び企業装置４０とより構成されており、互いにインターネット５０を介して接続されている。図１では、利用者端末１０、教育講座装置２０、企業装置４０はそれぞれ１つのみ表示しているが、通常の構成ではこれらの各装置はそれぞれ複数インターネット５０に接続される。また、図１では説明の都合上各端末・装置が直接インターネット５０と接続しているが、通常は図示しないがインターネット５０への接続装置を介してインターネット５０と接続する。
【００３８】
利用者端末１０は、進路案内を希望する利用者が使用するパーソナルコンピュータのようなＣＰＵ、記憶手段、入力手段、及び表示装置を有する情報処理装置であり、図示しないがブラウザのようなインターネット５０へのアクセス機能や電子メール機能を有し、進路案内装置３０がインターネット５０に開設する進路案内のウェブページを取得して表示したり入力データを進路案内装置３０へ送信したり電子メールの送受信ができる。
【００３９】
教育講座装置２０は、インターネット５０への接続機能やデータベース処理機能を有した情報処理装置であり、処理を実行する講座処理部２１と、個人情報ＤＢ２２と、カリキュラムＤＢ２３より構成され、処理部２１は主にプログラムで実現される。
【００４０】
個人情報ＤＢ２２は、図１１に示す一例のように、利用者の氏名、住所、電話番号（ＴＥＬ）、年齢、希望進路等の利用者が入力した情報と希望の学校に対応した教育講座の情報を保持するデータベースである。カリキュラムＤＢ２３は、図１２に示す一例のように、学校名と、それに関連する教育講座情報とを関連づけて保持するデータベースである。
【００４１】
進路案内装置３０は、インターネット５０への接続機能やデータベース処理機能を有した情報処理装置であり、処理を実行する進路処理部３１と、個人情報ＤＢ３２と、進学判断ＤＢ３３と、学校情報ＤＢ３４と、就職判断ＤＢ３５と、就職情報ＤＢ３６とを有し、進路処理部３１は主にプログラムで実現される。
【００４２】
個人情報ＤＢ３２は、図５に示す一例のように、利用者が入力した利用者に関する情報と進路判定結果の情報を保持するデータベースである。進学判断ＤＢ３３は、図７に示す一例のように、各学校を学力の基準点と所在地により分類した情報を保持するデータベースである。学力の基準点は後述するが進路案内装置３０から発送される学力テストであるアンケートの採点結果と対応する。学校情報ＤＢ３４は、図８に示す一例のように、学校毎の所在地や基準点や試験科目を含む学校情報を保持するデータベースである。
【００４３】
就職判断ＤＢ３５は、図１４に示す一例のように、利用者のアンケート回答を採点した結果の常識度と性格により就職先の企業の情報を分類して保持するデータベースであり、企業に関する情報として収入や所在地や採用条件等を含んでいる。就職情報ＤＢ３６は、図１５の一例のように、企業の詳細情報や採用条件等を保持するデータベースである。
【００４４】
企業装置４０は、企業の管理下に置かれるパーソナルコンピュータのような情報処理装置であり、インターネット５０と接続して通信する機能を有し、企業の採用担当部門の担当者が自社の採用情報や企業の概要等を含む就職情報を進路案内装置３０に送信して登録する。
【００４５】
次に、本発明を実施するための最良の形態の動作について図面を参照して説明する。まず進路案内装置３０においては準備段階として、それぞれ図７、図８、図１４、図１５に示すような情報を収集・整理して進学判断ＤＢ３３、学校情報ＤＢ３４、就職判断ＤＢ３５、就職情報ＤＢ３６を作成し保持する。それらの作成方法については限定しない。
【００４６】
例えば、就職情報ＤＢ３６は、企業情報の提供を広く呼びかけることにより収集し、企業装置４０からの登録要求をインターネット５０を介して進路案内装置３０が受け付け、進路処理部３１が要求を処理して提供された企業情報と採用条件を整理し就職情報ＤＢ３６に登録する。このとき各企業は採用条件となる個人能力をアンケートの採点結果の点数を分類した常識度として採用条件に組み込んで情報を提供し、進路処理部３１が採用条件等を抽出し整理して就職判断ＤＢ３５を作成する。ただし、企業側が異なる表現で採用に必要とする個人能力等を指定した場合は別途常識度に置き換えるという手順を組み込んで就職判断ＤＢ３５を作成してもよい。
【００４７】
学校情報ＤＢ３４は、就職情報ＤＢ３６と同様に図示しないが各学校から情報を収集しても良いが、企業数に比べて学校数が少ないため学校が公表する情報を登録するようにしても良い。また、進学判断ＤＢ３３の基準点は、例えば、民間企業で実施する模擬試験等で得られた情報に基づいて予測した値を設定することができる。
【００４８】
また、教育講座装置２０は準備段階として、カリキュラムＤＢ２３に図１２に示すような学校毎に必要又は有効となる教育講座や参考書等の情報を作成して登録する。図１２では各学校に１つの講座を登録しているが、２以上の講座を登録してもよいし、参考書等の書籍類の情報を合わせて登録しても良い。
【００４９】
これらの準備が終わると、進路案内装置３０は利用者端末１０からの進路案内の要求を受け付けて、進学或いは就職についてそれぞれ進路案内のサービスを開始可能となる。以降は進学の場合と、就職の場合に分けてそれぞれの動作を説明する。
【００５０】
（１）進学の場合
図２のフローチャートを用いて説明する。利用者は利用者端末１０を操作して、図４に示すように進路案内装置３０が開設した適性検査申込書のウェブページにアクセスして、住所や氏名等の個人情報を入力し、進学のボタンを操作する。大学への進学希望なら利用者は進学（大学）ボタン５１を操作する。この操作は、マウスのクリック操作等で行う。利用者端末１０は上記ボタン操作が実行されると、入力情報とともに進路案内装置３０へ要求を送る（Ｓ６１）。なお、ウェブページとはＨＴＭＬ（hypertext markup language）のような言語で作成された文書で、インターネット５０上に公開されＵＲＬ（uniform resource locator）を指定することでアクセス可能なものであるが、以降の説明では、ウェブページの内容についてのみ説明していく。
【００５１】
進路案内装置３０の進路処理部３１は、要求を受信すると受信した個人情報に登録データを識別するためのＩＤを付加して個人情報ＤＢ３２へ登録し、図６に示す進学用のアンケートテストのウェブページを利用者端末１０に返信する（Ｓ６２）。例えば、利用者の氏名が日本花子、年齢１８歳であれば図５のＩＤ＝１１１の行のように個人情報ＤＢ３２へ登録される。なお、利用者を会員に制限する場合は、上記ＩＤを会員番号として利用者に通知して利用してもよく、パスワードを個人情報ＤＢ３２に登録して受け付け時に認証してもよい。
【００５２】
利用者端末１０は、返信された進学用のアンケートテストのウェブページを表示し、利用者は回答を入力していく。進学用アンケートテストは、図６に示すように、学力テストとして各教科のテスト問題を含み、各問題の回答を利用者が入力するようになっている。また、問題の回答の他に通学可能圏内の情報を都道府県単位で入力するようになっている。ここでは、通学可能圏内を都道府県単位で指定するようにしているが、もっと広く関東地方や四国地方という単位で指定するようにしてもよいし、市町村単位で指定するようにしてもよく、特に限定はしない。利用者は全ての入力が終わると“送信”ボタン５４を操作する。“送信”ボタン５４が操作されると利用者端末１０は入力された情報を進路案内装置３０へ送信する（Ｓ６３）。
【００５３】
進路処理部３１は、アンケートテストの回答を受信すると、学力テストの回答を採点し、採点結果の点数と受信した進学可能圏内の情報に基づいて進学判断ＤＢ３３を参照して当てはまる学校名を抽出する（Ｓ６４）。例えば、テスト結果の基準点が８５点で通学可能圏内が千葉県であった場合、図７を参照するとＡ大学とＢ大学が当てはまる大学として抽出される。さらに、抽出された学校名により学校情報ＤＢ３４を参照してその学校の所在地や試験科目や案内情報等の情報を取りだし採点結果と通信講座の案内を追加して図９のような適性検査結果をウェブページとして作成して返信する（Ｓ６５）。
【００５４】
利用者端末１０は適性検査結果を受信して図９に示すような内容を表示する（Ｓ６６）。図９は、学力テスト結果が国語９０点、数学８０点、英語７５点、化学８５点、（他の科目は省略）で総合の基準点も８０点台となり、通学可能圏内が千葉県の場合の例を示しており、総合結果として１番目にＡ大学を２番目にＢ大学を該当校として紹介している。
【００５５】
利用者は、適性検査結果に対して紹介された学校に適した教育講座を希望するかを“はい／いいえ”で回答する。教育講座を希望する場合、利用者は図９に示すように教育講座を希望する学校の番号を入力してから“はい”ボタン５５を操作する。図９では利用者が１番のＡ大学を希望校として“１”を入力している。教育講座を希望しない場合利用者は“いいえ”ボタン５６を操作する。利用者端末１０は“はい”ボタン５５又は“いいえ”ボタン５６が操作されると希望学校番号とともに教育講座希望の回答を進路案内装置３０に送る（Ｓ６７）。
【００５６】
進路案内装置３０の進路処理部３１は、回答を受信すると回答内容を判断し、“いいえ“の回答の場合はそこで処理を終わり、“はい”の回答の場合は希望校の番号から希望校の情報を個人情報ＤＢ３２のコース欄に登録し、個人情報ＤＢ３２を参照して図１０に示すような通信講座申込書を作成し教育講座装置２０に送る（Ｓ６８）。
【００５７】
教育講座装置２０の講座処理部２１は、進路案内装置３０から通信講座申込書を受けると、受信した利用者の個人情報とコース情報とを教材情報の名称とを個人情報ＤＢ２２に登録し（Ｓ６９）、コース情報に登録された学校名に基づいてカリキュラムＤＢ２３から通信講座等の教材情報を取りだし電子メールにて送信する（Ｓ７０）。図１０の教育講座申込書の場合、図１１に示すように個人情報は氏名＝“日本花子”、メールアドレス＝“ｈａｎａｋｏ＠・・”、コース＝“Ａ大学”として個人情報ＤＢ２２に登録され、図１２のＡ大学に該当するＡ大学用の通信教育講座や必要な教材を含んだＡ大学用講座情報が“”ｈａｎａｋｏ＠・・”当てに電子メールで配信される。
【００５８】
利用者は、利用者端末１０の電子メール機能を操作して、配信された電子メールを図示しないが利用者端末１０のメールサーバから利用者端末１０へ取りだして（Ｓ７１）、Ａ大学用講座の情報を入手することができる。このようにして利用者は、利用者の学力や希望地域に合った学校の情報を紹介されるとともに、続いて希望校を選択して希望校に合った教育講座等の教材を容易に入手し受講することができる。
【００５９】
（２）就職の場合
図３のフローチャートを用いて説明する。利用者は利用者端末１０を操作して、図４に示す進路案内装置３０が開設した適性検査申込書のウェブページにアクセスして、住所や氏名等の個人情報を入力し、“就職”ボタン５２を操作する。利用者端末１０は上記ボタン操作が実行されると、入力情報とともに進路案内装置３０へ要求を送る（Ｓ８１）。
【００６０】
進路案内装置３０の進路処理部３１は、要求を受信すると受信した個人情報に登録データを識別するためのＩＤを付加して個人情報ＤＢ３２へ登録し、図１３に示す就職用のアンケートテストのウェブページを利用者端末１０に返信する（Ｓ８２）。
【００６１】
利用者端末１０は、返信された就職用のアンケートテストのウェブページを表示し、利用者は回答を入力していく。就職用アンケートテストは、図１３に示すように、設問に““はい／いいえ（ｙｅｓ／ｎｏ）”で回答する性格テストと基本的な学力テストを含んだ常識等の知識をテストする常識テストとを含み、利用者はこれらのテストに回答し、さらに利用者の希望条件として通勤できる地域として通勤可能圏内と収入（月収）等を入力して“送信”ボタン５７を操作する。“送信”ボタン５７が操作されると利用者端末１０は入力された情報を進路案内装置３０へ送信する（Ｓ８３）。
【００６２】
進路処理部３１は、アンケートテストの回答を受信すると、性格テストの回答を分析し常識テストの回答を採点し、常識テストの採点結果をＡ、Ｂ、Ｃのようなレベルに分類し、性格テストの結果を分析するとともに就職への適正を判定し、これらの結果と利用者の希望条件に当てはまる企業情報を就職判断ＤＢ３５を参照して抽出し個人情報ＤＢ３２のコース欄に登録する（Ｓ８４）。
【００６３】
例えば、図５に示す個人情報の“大和撫子”さんのアンケート結果が、採点結果が性格＝“適”で常識度＝“Ｂ”で通勤可能圏内が“千葉県”で希望収入が“２０万円以上”とすると、大和撫子さんは女子で学歴が高校であるので図１４の就職判断ＤＢ３５を参照した結果適合するのは“Ｈ電気”と“Ｇ販売”となる。
【００６４】
さらに、進路処理部３１は、抽出された企業名により就職情報ＤＢ３６を参照してその企業の所在地、仕事内容、収入、案内情報等の情報を取りだし採点結果と合わせて図１６のような適性検査結果を作成して返信する（Ｓ８５）。
【００６５】
利用者端末１０は適性検査結果を受信して図１６に示すような内容を表示する（Ｓ８６）。図１６の適性検査結果では、常識テスト結果が常識度＝“Ｂ”であることや、性格テストの結果分析情報が提供されるとともに、適合した企業の情報として“Ｈ電気”と“Ｇ販売”の２社の情報が提供される。
【００６６】
このように、利用者は、簡単に迅速に自分の適正・能力や希望にあった企業情報を入手することができるので、多くの手間をかけて就職情報を収集し検討する手間が省ける。
【００６７】
なお、以上の動作説明では、利用者端末１０と進路案内装置３０との間、利用者端末１０と教育講座装置２０との間の情報のやりとりを、主にウェブページにより実行しているが、利用者端末１０情報交換の一部又は全部を電子メールにより実現しても良いし、また別の通信方法で実現してもよく、ウェブページに限定するものではない。
【図面の簡単な説明】
【００６８】
【図１】本発明の構成を示したブロック図である。
【図２】本発明の進学の動作を示したフローチャートである。
【図３】本発明の就職の動作を示したフローチャートである。
【図４】本発明の適正検査申込書の一例である。
【図５】本発明の個人情報ＤＢ３２の一例である。
【図６】本発明の進学用アンケートテスト内容の一例である。
【図７】本発明の進学判断ＤＢ３３の一例である。
【図８】本発明の学校情報ＤＢ３５の一例である。
【図９】本発明の進学用の適正検査結果の一例である。
【図１０】本発明の通信講座申込書の一例である。
【図１１】本発明の個人情報ＤＢ２２の一例である。
【図１２】本発明のカリキュラムＤＢ２３の一例である。
【図１３】本発明の就職用アンケートテスト内容の一例である。
【図１４】本発明の就職判断ＤＢ３４の一例である。
【図１５】本発明の就職情報ＤＢ３６の一例である。
【図１６】本発明の就職用の適正検査結果の一例である。
【符号の説明】
【００６９】
１０    利用者端末
２０    教育講座装置
２１    講座処理部
２２    個人情報ＤＢ
２３    カリキュラムＤＢ
３０    進路案内装置
３１    進路処理部
３２    個人情報ＤＢ
３３    進学判断ＤＢ
３４    学校情報ＤＢ
３５    就職判断ＤＢ
３６    就職情報ＤＢ
４０    企業装置
【図１】
2005108096.tif 000003
【図２】
2005108096.tif 000004
【図３】
2005108096.tif 000005
【図４】
2005108096.tif 000006
【図５】
2005108096.tif 000007
【図６】
2005108096.tif 000008
【図７】
2005108096.tif 000009
【図８】
2005108096.tif 000010
【図９】
2005108096.tif 000011
【図１０】
2005108096.tif 000012
【図１１】
2005108096.tif 000013
【図１２】
2005108096.tif 000014
【図１３】
2005108096.tif 000015
【図１４】
2005108096.tif 000016
【図１５】
2005108096.tif 000017
【図１６】
2005108096.tif 000018